(57)【要約】【課題】  製造工程を簡略化し、ランセットの複数回刺通を防止可能な穿刺具を提供する。【解決手段】  プランジャ３に、ハウジング１の後端方向に傾斜して突出する斜面部３ｅを設け、引きバネ８の前端を、ハウジング１内に固定される第１の引きバネ固定片９に固定させ、引きバネ８の後端を、前記斜面部３ｅに挿入され、該斜面部３ｅに沿って斜方向に摺動可能な第２の引きバネ固定片１０に掛止させ、前記引きバネ８の軸方向への伸張により生じる復元力により、プランジャ３をハウジング１の前端方向へ付勢し、第２の引きバネ固定片１０が、斜面部３ｅに沿って上斜方向に摺動して引きバネ８を上斜方向に変形させることにより生じる復元力により第２の引きバネ固定片１０を下斜方向に押圧して前記プランジャ３を後端方向に付勢することとした。【選択図】  図１
2005342324.tif 000002
【特許請求の範囲】
【請求項１】
前端に開口部を備えるハウジング内に、穿刺針を離脱可能に保持し、前記ハウジングの前後方向に摺動可能に保持されるプランジャと、前記プランジャをその前後方向に付勢する引きバネとを備える穿刺具であって、
前記プランジャには、前記ハウジングの後端方向に傾斜して突出する斜面部が設けられ、
前記引きバネの前端は、前記ハウジング内に固定される第１の引きバネ固定片に固定され、
前記引きバネの後端は、前記斜面部に挿入され、該斜面部に沿って斜方向に摺動可能な第２の引きバネ固定片に掛止され、
前記第２の引きバネ固定片は、前記プランジャの後端側への移動に連動して後端側へ移動して前記引きバネを軸方向に伸張させ、前記引きバネは、その軸方向への伸張により生じる復元力により、前記プランジャを前記第２の引きバネ固定片を介して前記ハウジングの前端方向へ付勢し、
前記プランジャが、前記引きバネが自然長になる位置を越えて先端側に付勢されると、前記第２の引きバネ固定片は、前記傾斜部に沿って上斜方向に摺動して前記引きバネを上斜方向に変形させ、前記引きバネは、上斜方向への変形により生じる復元力により前記第２の引きバネ固定片を下斜方向に押圧して前記プランジャを後端方向に付勢する、
ことを特徴とする穿刺具。
【請求項２】
請求項１に記載の穿刺具において、
前記ハウジングには、その内壁面に第１の突起が設けられ、
前記プランジャには、前記第１の突起と係合する第２の突起が設けられ、
前記第１の突起と前記第２の突起とが係合することにより、前記引きバネによる前記プランジャの先端方向への付勢が規制され、前記第２の突起を押圧して前記第１の突起と第２の突起の係合を解除することにより、前記引きバネが前記プランジャを前記ハウジングの前端方向へ付勢する、
ことを特徴とする穿刺具。
【請求項３】
請求項１または請求項２に記載の穿刺具において、
前記第１の引きバネ固定片は、前記引きバネの前端から所定の長さの前記引きバネを被包し、被包された前記引きバネの軸方向以外への変形を規制する、
ことを特徴とする穿刺具。
【発明の詳細な説明】
【技術分野】
【０００１】
本発明は採血などを測定するに先立ち、指先などから血液を採取するために使用する穿刺具に関する。
【背景技術】
【０００２】
従来、血液の分析のために、人間や動物の皮膚から血液を採取するための穿刺具が種々発明されており、近年では穿刺針を穿刺具に装着すると同時に穿刺のための付勢力が蓄えられる穿刺具も発明されている（例えば特許文献１参照）。このような穿刺具は、穿刺と抜去の動作を、２個の圧縮バネ、すなわち穿刺のための第１圧縮バネと抜去のための第２圧縮バネを用いて行なっている。
【０００３】
図４は従来の穿刺具の側面図である。図４において、プランジャ３２の自然位置は、上記第１圧縮バネ３０の全長によって規制されており、穿刺の際には、プランジャ３２は、第１圧縮バネ３０の復元力により先端方向へ付勢され、抜去の際には、第２圧縮バネ３１の復元力により後端方向へ付勢される。
【特許文献１】特開２０００−２４５７１７号公報
【発明の開示】
【発明が解決しようとする課題】
【０００４】
しかしながら、上記従来の穿刺具のように２個の圧縮バネを使用する場合には、プランジャの自然位置を決定する第１圧縮バネの全長精度を確保する必要があり、周知のとおり一般に圧縮バネの全長はその形態上精度を確保することが非常に困難であるため、製品精度を確保するためには前記第１圧縮バネ３０の両端を精密に研磨するなどして必要な寸法を確保しなければならないといった課題が生じていた。また、穿刺可能な力と穿刺針が確実に戻る力の配分を考慮しなければならず、前記第１圧縮バネ３０と第２圧縮バネ３１のバネ圧の比を最適なものとするための高度な技術が必要とされていた。さらに、プランジャ３２の付勢手段として２つの圧縮バネを使用する場合、圧縮バネによる往復運動、すなわちハウリングが生じてしまい、ハウリングにより穿刺針が複数回皮膚に刺さることから、痛みの増幅となって患者への苦痛を与えるものとなっている。また、患者への最近の調査によると、穿刺の際の痛みのみならず穿刺具の衝撃音が患者の恐怖を更に増幅することが明らかになっている。
【課題を解決するための手段】
【０００５】
上記課題を解決するため、本発明の請求項１に係る穿刺具は、前端に開口部を備えるハウジング内に、穿刺針を離脱可能に保持し、前記ハウジングの前後方向に摺動可能に保持されるプランジャと、前記プランジャをその前後方向に付勢する引きバネとを備える穿刺具であって、前記プランジャには、前記ハウジングの後端方向に傾斜して突出する斜面部が設けられ、前記引きバネの前端は、前記ハウジング内に固定される第１の引きバネ固定片に固定され、前記引きバネの後端は、前記斜面部に挿入され、該斜面部に沿って斜方向に摺動可能な第２の引きバネ固定片に掛止され、前記第２の引きバネ固定片は、前記プランジャの後端側への移動に連動して後端側へ移動して前記引きバネを軸方向に伸張させ、前記引きバネは、その軸方向への伸張により生じる復元力により、前記プランジャを前記第２の引きバネ固定片を介して前記ハウジングの前端方向へ付勢し、前記プランジャが、前記引きバネが自然長になる位置を越えて先端側に付勢されると、前記第２の引きバネ固定片は、前記傾斜部に沿って上斜方向に摺動して前記引きバネを上斜方向に変形させ、前記引きバネは、上斜方向への変形により生じる復元力により前記第２の引きバネ固定片を下斜方向に押圧して前記プランジャを後端方向に付勢することを特徴とする。
【０００６】
また、本発明の請求項２に係る穿刺具は、請求項１に記載の穿刺具において、前記ハウジングには、その内壁面に第１の突起が設けられ、前記プランジャには、前記第１の突起と係合する第２の突起が設けられ、前記第１の突起と前記第２の突起とが係合することにより、前記引きバネによる前記プランジャの先端方向への付勢が規制され、前記第２の突起を押圧して前記第１の突起と第２の突起の係合を解除することにより、前記引きバネが前記プランジャを前記ハウジングの前端方向へ付勢することを特徴とする。
【０００７】
また、本発明の請求項３に記載の発明は、請求項１または請求項２に記載の穿刺具において、前記第１の引きバネ固定片は、前記引きバネの前端から所定の長さの前記引きバネを被包し、被包された前記引きバネの軸方向以外への変形を規制することを特徴とする。
【発明の効果】
【０００８】
本発明の穿刺具によれば、引きバネの一端を、第１の引きバネ固定片を介してハウジングに固定し、引きバネの他端を、プランジャに設けられた斜面部に摺動可能に挿入された第２の引きバネ固定片に掛止させることとしたので、前記第２の引きバネ固定片を、前記プランジャの後端側への移動に連動して後端側へ移動させて前記引きバネを軸方向に伸張させ、かかる伸張により生じる復元力により、前記プランジャを、前記第２の引きバネ固定片を介して前記ハウジングの前端方向へ付勢することができ、また、前記引きバネが自然長になる位置を越えて前記プランジャが先端側に付勢されると、前記第２の引きバネ固定片を、前記傾斜部に沿って上斜方向に摺動させて前記引きバネを上斜方向に変形させ、かかる変形により生じる復元力により前記第２の引きバネ固定片を下斜方向に押圧して、前記プランジャを後端方向に付勢することができ、これにより、プランジャを先端方向、及び後端方向へ付勢する付勢手段を１つの引きバネで構成することができ、穿刺具の製作工程の簡易化を図ると共に穿刺針の複数回刺通を防止することが可能となる。
【発明を実施するための最良の形態】
【０００９】
（実施の形態１）
本発明に係る穿刺具の構成を、図１、及び図２を用いて説明する。なお、図１と図２において同一の構成要素については同じ符号を用いる。
【００１０】
図１は本発明の穿刺具を示す構成図であり、図２は穿刺具の先端部分を表す側面図である。
【００１１】
図１において、本発明の穿刺具は、主に、ハウジング１と、ハウジング１の内部に摺動可能に保持されるプランジャ３とから成る。
【００１２】
ハウジング１は、先端に開口部を備えるハウジング１ａと、後端が閉塞しているハウジング１ｂとにより構成され、図２に示すように、ハウジング１ａはハウジング１ｂに対して回動可能に嵌合されている。ハウジング１の内部には、第１の突起２と、穿刺針１４の突出位置を調整するための針深度調整部７が設けられており、針深度調整部７は、ハウジングｂをハウジングａに対して回転させることにより、ハウジング１内部の先端方向、及び後端方向に移動可能となるように構成されている。また、第１の突起２の上部には、操作ボタン４が設けられる。
【００１３】
プランジャ３は、先端部分より、穿刺針保持部３ａ、第２の突起３ｂ、摺動規制部３ｃ、基底部３ｄ、及び斜面部３ｅから成る。穿刺針保持部３ａには、ランセット１３が着脱可能に嵌合される。また図２に示すように、穿刺針カートリッジ５には、穿刺針１４を保持するランセット１３が摺動可能に保持され、ランセット１３の先端には、穿刺針１４を保護する保護キャップ６が備えられる。当該穿刺具の使用時には、保護キャップ６を抜き去るが、穿刺針１４は穿刺針カートリッジ５の内部に位置するので、当該穿刺具の使用者は、針を見ることなく恐怖を感じずに穿刺を行うことができる。また、図２に示すようにプランジャ３の先端部とハウジング１ａとの隙間を少なくし、ハウジング１ｂの後端部を密閉することにより穿刺時の衝撃音を閉じ込め患者への恐怖感を和らげる構造としている。
【００１４】
第２の突起３ｂは、プランジャ３の弾性変形が可能な領域に設けられており、第１の突起２と係合する。摺動規制部３ｃは、針深度調整部７と当接することにより、プランジャ３の先端方向への摺動を規制する。
【００１５】
基底部３ｄには、ハウジング１の後端方向に傾斜して突出する斜面部３ｅが設けられており、また、基底部３ｄの上部には、プランジャ３に前後方向の付勢力を与える引きバネ８と、引きバネ８の両端をそれぞれ掛止する第１の引きバネ固定片９、及び第２の引きバネ固定片１０とが配置される。
【００１６】
第１の引きバネ固定片９は、固定ピンａ１１を介してハウジング１ｂに固定されており、図示しない引きバネ８の前端を掛止している。また、第１の引きバネ固定片９は、筒状部を備えており、該筒状部内に所定の長さの引きバネ８を被包することにより、筒状部内に被包される引きバネ８が軸方向への伸張以外に変形できないように固定する。
【００１７】
第２の引きバネ固定片１０は、固定ピンｂ１２により引きバネ８の後端側を遊動可能に掛止し、また、第２の引きバネ固定片１０は、プランジャ３に形成された斜面部３ｅに挿入されており、斜面部３ｅに沿って斜方向に摺動することができる。
【００１８】
以上のように構成される穿刺具を用いて穿刺を行なう動作について、以下に図３を用いて説明する。図３は、プランジャ３が自然位置、穿刺準備位置、及び穿刺位置にある場合の引きバネ８、及び第２の引きバネ固定片１０の状態を表す図である。
【００１９】
ここで、図３において、自然位置とは、引きバネ８が自然長である状態のプランジャ３の位置を表し、穿刺準備位置とは、プランジャ３がハウジング１の後端側へ押圧されることにより引きバネ８が軸方向に伸張し、第１の突起２と第２の突起３ｂとが係合することにより、プランジャ３の先端方向への付勢が係止されている状態のプランジャの位置を表し、穿刺位置とは、プランジャ３とハウジング１との係合が解除されてプランジャ３が先端方向へ付勢され、更にプランジャ３の慣性力によりプランジャ３が自然位置を越えて先端方向へ移動した状態のプランジャ３の位置を表す。
【００２０】
プランジャ３が自然位置である状態において、ランセット１３をプランジャ３の穿刺針保持部３ａに装着しプランジャ３を後端方向に押圧する。プランジャ３が後端方向に移動するのに連動して第２の引きバネ固定片１０も後端方向に移動し、これにより、引っ張りバネ８は軸方向へ伸張される。
【００２１】
プランジャ３をさらにハウジング１内に押し込むと、ハウジングａに設けられた第１の突起２とプランジャ３の第２の突起とが係合し、プランジャ３の先端方向への付勢が係止され、これによりプランジャ３は穿刺準備位置となる。
【００２２】
ハウジング１ａに設けられる操作ボタン４を押圧すると、第２の突起３ｂが設けられるプランジャ３の所定の領域が弾性変形して第１の突起２と第２の突起３ｂとの係合が解除され、これにより、プランジャ３は、引きバネ８の復元力により、先端方向に勢いよく付勢される。
【００２３】
プランジャ３が先端方向へ付勢されると、引きバネ８は収縮して自然長となり、プランジャ３は自然位置に戻るが、プランジャ３はその慣性力により自然位置を越えて更に先端方向へと移動するため、第２の引きバネ固定片１０が、斜面部３ｅに沿って上斜方向に摺動し、引きバネ８は、第１の引きバネ固定片９の円筒部の端部を支点として上斜方向に変形、伸張し、これにより、プランジャ３は穿刺位置となり、穿刺が行なわれる。
【００２４】
プランジャ３が穿刺位置にある場合、引きバネ８には、矢印Ｂ方向への復元力が生じており、第２の引きバネ固定片１０が斜面部３ｅに沿って下斜方向に押圧される。また、第２の引きバネ固定片１０が下斜方向に押圧されることにより、プランジャ３には矢印Ｃ方向の力が作用し、これにより、プランジャ３は後端方向に摺動して自然位置に復帰し穿刺動作が終了する。
【００２５】
以上のように、本実施の形態１に係る穿刺具によれば、引きバネ８の前端を、第１の引きバネ固定片９を介してハウジング１に固定し、引きバネ８の後端を、プランジャ３に設けられた斜面部３ｅに摺動可能に挿入された第２の引きバネ固定片１０に掛止させることとしたので、前記第２の引きバネ固定片１０を、前記プランジャ３の後端側への移動に連動して後端側へ移動させて前記引きバネ８を軸方向に伸張させ、かかる伸張により生じる復元力により、前記プランジャ３を、前記第２の引きバネ固定片１０を介して前記ハウジング１の前端方向へ付勢することができ、また、前記プランジャ３が、前記引きバネ８が自然長になる位置を越えて先端側に付勢されると、前記第２の引きバネ固定片１０を、前記斜面部３ｅに沿って上斜方向に摺動させて前記引きバネ８を上斜方向に変形させ、かかる変形により生じる復元力により、前記第２の引きバネ固定片１０を下斜方向に押圧して前記プランジャ３を後端方向に付勢することができ、これにより、プランジャを先端方向、及び後端方向へ付勢する付勢手段を１つの引きバネで構成することができ、穿刺具の製作工程の簡易化を図ると共に、穿刺針１４の複数回刺通を防止することが可能となる。
【産業上の利用可能性】
【００２６】
本発明に係る穿刺具は、穿刺具の製作工程の簡易化を図ることが可能となると共に、複数回の穿刺を確実に防止して患者の痛みを低減することできる点において有用である。
【図面の簡単な説明】
【００２７】
【図１】本発明の実施の形態１における穿刺具の構成を表す図である。
【図２】本発明の実施の形態１における穿刺具の先端部分の側面図である。
【図３】本発明の実施の形態１における、プランジャの動きと引きバネの状態とを表す図である。
【図４】従来の穿刺具の断面図である。
【符号の説明】
【００２８】
１  ハウジング
１ａ  ハウジングａ
１ｂ  ハウジングｂ
２  第１の突起
３  プランジャ
３ａ  穿刺針保持部
３ｂ  第２の突起
３ｃ  摺動規制部
３ｄ  基底部
３ｅ  斜面部
４  操作ボタン
５  穿刺針カートリッジ
６  針保護キャップ
７  針深度調整部
８  引きバネ
９  第１の引きバネ固定片
１０  第２の引きバネ固定片
１１  固定ピンａ
１２  固定ピンｂ
１３  ランセット
１４  穿刺針
３０  第１圧縮バネ
３１  第２圧縮バネ
３２  プランジャ
３３  付勢レバー
【図１】
2005342324.tif 000003
【図２】
2005342324.tif 000004
【図３】
2005342324.tif 000005
【図４】
2005342324.tif 000006